(57)【要約】      （修正有）【課題】コストや手間を抑えつつ、腕の運動性能が高い上衣を提供する。【解決手段】前身頃、後身頃、及び袖部を接合することにより構成された上衣において、袖部１３は、１枚の袖と、１枚の前袖下と、１枚の後袖下と、からなり、前袖下及び後袖下の脇側に、それぞれ、ダーツ１３３ａが形成されている。【選択図】図１
0003214460.tif 000002
【実用新案登録請求の範囲】
【請求項１】
前身頃、後身頃、及び袖部を接合することにより構成された上衣において、
前記袖部は、１枚の袖と、１枚の前袖下と、１枚の後袖下と、からなり、
前記前袖下及び後袖下の脇側に、それぞれ、ダーツが形成された、上衣。
【請求項２】
前記ダーツは、前記前袖下における前記袖と接合する側と、前記後袖下における前記袖と接合する側と、に、それぞれ、形成された、請求項１に記載の上衣。
【請求項３】
前記ダーツを構成する生地の総面積は、５０〜１５０ｃｍ２である、請求項１又は２に記載の上衣。
【考案の詳細な説明】
【技術分野】
【０００１】
本考案は、上衣に関する。より詳しくは、コストや手間を抑えつつ、腕の運動性能が高い上衣に関する。
【背景技術】
【０００２】
従来、特に、運送業の配達員、工場等の作業員、スポーツを行う人などが着用する際には、腕を上げる、腕を振る等の動作を行うために、腕の運動性能が高い上衣（上着）が求められる。
【０００３】
ここで、例えば、特許文献１には、「前身頃パーツ（１）、脇パーツ（２）、袖下パーツ（３）、袖上パーツ（４）、後身頃パーツ（５）を縫着して形成する野球用上衣において、脇パーツ（２）と前身頃パーツ（１）との縫着ラインおよび脇パーツ（２）と後身頃パーツ（５）との縫着ラインが、脇パーツ（２）の上下方向の中央部の幅が最も狭くなるような曲線とし、脇パーツ（２）と袖下パーツ（３）との縫着ラインが、アームホールの下部の曲線を形成し、該曲線の前身頃側端部（２ａ）よりも後身頃側端部（２ｂ）が上方で肩甲骨の方向に長く伸びた位置になるように形成したことを特徴とする野球用上衣」が開示されており、要するに、多数のパーツを縫い合わせることにより、投球や送球時の肩の回転運動をスムーズにさせることを可能とする上衣が開示されている。
【先行技術文献】
【特許文献】
【０００４】
【特許文献１】特開２００５−２３４４７号公報
【考案の概要】
【考案が解決しようとする課題】
【０００５】
しかし、多数のパーツを縫い合わせるとなると、製造工程が煩雑化し、コストや手間がかかるという問題があった。
【０００６】
そこで、本考案では、コストや手間を抑えつつ、腕の運動性能が高い上衣を提供することを主目的とする。
【課題を解決するための手段】
【０００７】
すなわち、本技術では、まず、前身頃、後身頃、及び袖部を接合することにより構成された上衣において、
前記袖部は、１枚の袖と、１枚の前袖下と、１枚の後袖下と、からなり、
前記前袖下及び後袖下の脇側に、それぞれ、ダーツが形成された、上衣を提供する。
また、本技術において、前記ダーツは、前記前袖下における前記袖と接合する側と、前記後袖下における前記袖と接合する側と、に、それぞれ、形成されていてもよい。
更に、本技術において、前記ダーツを構成する生地の総面積は、５０〜１５０ｃｍ２であってもよい。
【０００８】
ここで、本技術で使用する技術用語について定義付けを行う。
本考案において、「ダーツ」とは、折り畳まれたヒダを縫い止めた部位のことをいう。
【考案の効果】
【０００９】
本技術によれば、コストや手間を抑えつつ、腕の運動性能が高い上衣を提供できる。なお、ここに記載された効果は、必ずしも限定されるものではなく、本開示中に記載されたいずれかの効果であってもよい。
【図面の簡単な説明】
【００１０】
【図１】本技術に係る上衣１の正面図を模式的に示す模式図である。
【図２】本技術に係る上衣１の後面図を模式的に示す模式図である。
【図３】本技術に係る上衣１の袖部１３を構成する生地を模式的に示す模式図である。
【図４】本技術に係る上衣１の袖部１３を構成する生地と、従来の上衣の袖部を構成する生地と、を重ね合わせた図である。
【図５】従来の上衣の袖部を構成する生地を模式的に示す模式図である。
【考案を実施するための形態】
【００１１】
以下、本技術を実施するための好適な形態について図面を参照しながら説明する。なお、以下に説明する実施形態は、本考案の代表的な実施形態の一例を示したものであり、これにより本考案の範囲が狭く解釈されることはない。
【００１２】
＜１．上衣１＞
本技術に係る上衣１は、図１及び２に示すように、前身頃１１、後身頃１２、及び袖部１３を接合することにより構成されている。
【００１３】
本技術において、前身頃１１、後身頃１２、及び袖部１３に用いる具体的な素材は、本考案の効果を損なわない限り、従来公知の生地等の素材を１種又は２種以上自由に選択して用いることができる。
【００１４】
また、前身頃１１、後身頃１２、及び袖部１３の大きさも特に限定されず、自由に設計することができる。
【００１５】
本技術に係る上衣１では、袖部１３は、１枚の袖１３１と、１枚の前袖下１３２ａと、１枚の後袖下１３２ｂと、からなり、前袖下１３２ａ及び後袖下１３２ｂの脇側に、それぞれ、ダーツ１３３ａ、１３３ｂ（図１及び２参照）が形成されていることを特徴とする。
【００１６】
図４は、本技術に係る上衣１の袖部１３を構成する生地と、従来の上衣の袖部を構成する生地と、を重ね合わせた図であり、図５は、従来の上衣の袖部を構成する生地を模式的に示す模式図である。なお、図４において、従来の上衣の袖部の生地は、破線で示している。本技術では、前袖下１３２ａ及び後袖下１３２ｂの脇側に、それぞれ、ダーツ１３３ａ、１３３ｂがあることにより、腕を上げる、腕を振る等の動作を行う際に、従来の上衣よりも生地にゆとりができ、脇下に生地の突っ張り感が生じない。
【００１７】
また、本技術では、腕の運動性能を高めるために多数のパーツを縫い合わせるといった必要がないため、製造工程の煩雑化を防ぎ、コストや手間を抑えることができる。
【００１８】
以上のことから、本技術によれば、コストや手間を抑えつつ、腕の運動性能が高い上衣を提供できる。
【００１９】
また、ダーツ１３３ａ、１３３ｂの形成位置は、特に限定されないが、図３に示すように、前袖下１３２ａにおける袖１３１と接合する側と、後袖下１３２ｂにおける袖１３１と接合する側と、に、それぞれ、形成されていることが好ましい。これにより、腕の運動性能をより高めることができる。
【００２０】
ダーツ１３３ａ、１３３ｂを構成する生地の総面積は、特に限定されないが、５０〜１５０ｃｍ２とすることが好ましく、約８１ｃｍ２とすることが特に好ましい。５０ｃｍ２以上とすることにより、確実に腕の運動性能を高めることができる。また、１５０ｃｍ２以下とすることにより、コストの削減を図ることができる。
【００２１】
また、本技術では、前袖下１３２ａを構成する生地及び後袖下１３２ｂを構成する生地は、図３に示すように、袖口側の反対側に、それぞれ、襠部１３４ａ、１３４ｂを更に有することが好ましい。これにより、ダーツ１３３ａ、１３３ｂを入れたことによる、生地のツッパリを解消することができる。なお、図４に示すように、従来の上衣の袖部には本技術でいうダーツが無いため、従来の上衣の袖部の前袖下及び後袖下を構成する生地にはこの襠部は無い。
【００２２】
襠部１３４ａ、１３４ｂの幅は、特に限定されないが、１５〜２５ｍｍとすることが好ましく、約２０ｍｍとすることが特に好ましい。
【００２３】
また、本技術に係る上衣１では、必要に応じて、その他の部位（例えば、襟、ポケットなど）を有していてもよい。
【００２４】
本技術に係る上衣１は腕の運動性能が高いため、特に、運送業の配達員、工場等の作業員、スポーツを行う人などが着用する際の、作業用又はスポーツ用上衣として好適に用いられるが、本技術に係る上衣１の用途は、これに限定されず、フォーマル、カジュアル等の様々なシーンで着用することができる。
【００２５】
＜２．上衣１の製造方法＞
本技術に係る上衣１の製造方法は、特に限定されず、従来公知の方法を用いて製造することができる。
【００２６】
また、特に、袖部１３に関しては、例えば、以下の方法により製造することが可能である。
【００２７】
まず、図３に示すような形状の生地を作製するための型紙を作る。そして、該型紙の通りに生地を裁断し、左右それぞれ、図３に示す形状の袖部１３の生地を得る。
【００２８】
その後、１枚の袖１３１と、１枚の前袖下１３２ａと、１枚の後袖下１３２ｂと、を縫い合わせて接合する。これにより、袖部１３を作製する。その際に、例えば、前袖下１３２ａにおける袖１３１と接合する側と、後袖下１３２ｂにおける袖１３１と接合する側と、に、それぞれ、折り畳まれたヒダを縫い止めて、ダーツ１３３ａ、１３３ｂを形成する。
【符号の説明】
【００２９】
１  上衣
１１  前身頃
１２  後身頃
１３  袖部
１３１  袖
１３２ａ  前袖下
１３２ｂ  後袖下
１３３ａ、１３３ｂ  ダーツ
１３４ａ、１３４ｂ  襠部
【図１】
0003214460.tif 000003
【図２】
0003214460.tif 000004
【図３】
0003214460.tif 000005
【図４】
0003214460.tif 000006
【図５】
0003214460.tif 000007